(57)【要約】【課題】構成を簡略化して汎用性を高めると共に、施工後の美観性を向上させることができるピット蓋受け部材及びピット形成方法を提供する。【解決手段】床面を覆うピット蓋を支持する段差を備えたピットをコンクリートで形成するためのピット蓋受け部材１であって、床面となる位置に固定され、第１角部５を有する第１角部材２と、第１角部材より所定距離下方に離間して固定され、第２角部１３を有する第２角部材１０と、断面視して段差を形成するように第２角部が第１角部に対して水平方向に離間するように第１角部材と第２角部材とをオフセットして連結する連結部材２０と、を備えることを特徴とする、ピット蓋受け部材である。【選択図】図１
2020159138.tif 000002
【特許請求の範囲】
【請求項１】
床面を覆うピット蓋を支持する段差を備えたピットをコンクリートで形成するためのピット蓋受け部材であって、
前記床面となる位置に固定され、第１角部を有する第１角部材と、
前記第１角部材より所定距離下方に離間して固定され、第２角部を有する第２角部材と、
断面視して前記段差を形成するように前記第２角部が前記第１角部に対して水平方向に離間するように前記第１角部材と前記第２角部材とをオフセットして連結する連結部材と、を備えることを特徴とする、
ピット蓋受け部材。
【請求項２】
前記連結部材は、前記第１角部材の下方に所定距離離間して前記第２角部材を位置決めするように板状に形成された本体部と、
前記本体部の上方において段差部を有し、前記第１角部材に取り付けられる第１固定部と、
前記本体部の下方において水平方向に突出し、前記第２角部材に取り付けられる第２固定部と、を備えることを特徴とする、
請求項１に記載のピット蓋受け部材。
【請求項３】
前記段差部は、前記連結部材が前記第１角部材に取り付けられた際に前記第１角部材の鉛直面と前記本体部が同一面となるように形成されていることを特徴とする、
請求項２に記載のピット蓋受け部材。
【請求項４】
床面を覆うピット蓋を支持する段差を備えたピットを第１角部材、第２角部材、及び連結部材を用いてコンクリートで形成するためのピット形成方法であって、
前記ピットを形成するための型枠用の板状体における前記床面となる位置に、前記段差を形成するための矩形断面に形成された棒状体を取り付ける工程と、
第１角部を有する前記第１角部材を前記前記棒状体に固定する工程と、
前記第１角部材の下方において前記連結部材を前記棒状体に固定する工程と、
前記連結部材の下方に第２角部を有する前記第２角部材を固定することにより、前記第２角部が前記第１角部より所定距離下方に離間すると共に、前記第１角部に対して水平方向に離間するように前記第２角部をオフセットするように位置決めする工程と、
位置決めされた前記第２角部材を前記板状体に固定する工程と、
前記板状体と前記第１角部材と前記第２角部材とにより形成された領域にコンクリートを打設する工程と、を備えることを特徴とする、
ピット形成方法。
【発明の詳細な説明】
【技術分野】
【０００１】
本発明は、床面に溝状のピットを形成するためのピット蓋受け部材及びピット形成方法に関する。
【背景技術】
【０００２】
排水目的やケーブル類を収納するために床面より下方に窪んだ溝状のピットが形成される。ピットの開口部は、ピット蓋で覆われる。この開口部には、ピット蓋を支持するための段差が床面近傍にピットの長手方向に沿って延在するように形成される。
【０００３】
従来、ピットを形成する方法は、型枠を設置する行程と、ピット蓋を支持するための段差部分に設けられる金属製の部材が取り付けられる部分に空間を形成するように床コンクリートを打設する工程と、上記空間から露出するようにコンクリート打設前に予め設置された金属部材に、ピット蓋を支持するための支持部材を溶接する工程と、コンクリートと支持部材との間の隙間をモルタルで充填する工程とを備えていた。このような施工方法によれば、コンクリートの型枠を設置する工程と、金物を取り付ける工程と、左官埋めをする工程等の多くの工程が必要となりコストがかかると共に、床が打放し仕上げの場合にモルタルとコンクリートと間に境界線ができて美観性が損なわれるという課題がある。
【０００４】
モルタルとコンクリートとの間の境界線が出ないようにピット蓋受け用の段差を有するピットを形成するために、例えば、特許文献１に記載された技術が知られている。特許文献１には、地面上に、プレキャストコンクリートブロックを、溝又はピットの壁を形成するように複数連続して設置する工程と、プレキャストコンクリートブロックの上部に設けられた金具にピット蓋を受けるための段差が形成されたグレーチング枠を溶接する工程と、プレキャストコンクリートブロックの外側にコンクリートを所定高さまで打設して床を形成する工程とを備えている。
【先行技術文献】
【特許文献】
【０００５】
【特許文献１】特開２００６−１６９９１３号公報
【発明の概要】
【発明が解決しようとする課題】
【０００６】
しかしながら、特許文献１に記載された技術によれば、プレキャストコンクリートブロックやグレーチング枠をピットやピット蓋の厚さに応じて形成する必要があり、汎用性が低下する。
【０００７】
本発明は、上述した課題に鑑みてなされたものであり、構成を簡略化して汎用性を高めると共に、施工後の美観性を向上させることができるピット蓋受け部材及びピット形成方法を提供することを目的とする。
【課題を解決するための手段】
【０００８】
上記の目的を達するために、本発明は、床面を覆うピット蓋を支持する段差を備えたピットをコンクリートで形成するためのピット蓋受け部材であって、前記床面となる位置に固定され、第１角部を有する第１角部材と、前記第１角部材より所定距離下方に離間して固定され、第２角部を有する第２角部材と、断面視して前記段差を形成するように前記第２角部が前記第１角部に対して水平方向に離間するように前記第１角部材と前記第２角部材とをオフセットして連結する連結部材と、を備えることを特徴とするピット蓋受け部材である。
【０００９】
本発明によれば、連結部材が第１角部材と第２角部材とをピット蓋を受けるための段差が形成されるように所定の位置関係で連結するため、コンクリート打設時にピット蓋受け部材を型枠に簡便に取り付けることができ、施工性を向上させることができる。
【００１０】
また、本発明は、前記連結部材が前記第１角部材の下方に所定距離離間して前記第２角部材を位置決めするように板状に形成された本体部と、前記本体部の上方において段差部を有し、前記第１角部材に取り付けられる第１固定部と、前記本体部の下方において水平方向に突出し、前記第２角部材に取り付けられる第２固定部と、を備えるように構成されていてもよい。
【００１１】
本発明によれば、連結部材で第１角部材と第２角部材とを固定することにより第２角部材が第１角部材の下方に所定の位置関係で位置決めすることができる。
【００１２】
また、本発明は、前記段差部は、前記連結部材が前記第１角部材に取り付けられた際に前記第１角部材の鉛直面と前記本体部が同一面となるように形成されているように構成されていてもよい。
【００１３】
本発明によれば、ピット蓋受け部材がコンクリートに打ち込まれてピットが形成された際に本体部と第１角部材の鉛直面とコンクリートで形成された面とが同一面となり、美観性が向上する。
【００１４】
本発明は、床面を覆うピット蓋を支持する段差を備えたピットをコンクリートで形成するためのピット形成方法であって、第１角部を有する第１角部材を、前記ピットを形成するための型枠用の板状体に矩形断面に形成された棒状体を介して前記床面となる位置に固定する工程と、前記第１角部材に合わせて連結部材を前記板状体に固定する工程と、前記連結部材に合わせて第２角部を有する第２角部材を前記第１角部より所定距離下方に離間すると共に前記第１角部に対して水平方向に離間するように前記第２角部をオフセットするように位置決めする工程と、位置決めされた前記第２角部材を前記前記板状体に固定する工程と、前記板状体と前記第１角部材と前記第２角部材とにより形成された空間にコンクリートを打設する工程と、を備えることを特徴とする、ピット形成方法である。
【００１５】
本発明によれば、連結部材、第１角部材、及び第２角部材の寸法を変更することで、ピット蓋の厚さや形状に合わせて任意の寸法のピット蓋受け用の段差を形成することができ、汎用性を高めることができる。また、本発明によれば、連結部材、第１角部材、及び第２角部材がコンクリートに打ち込まれてそのままピット蓋受け用の段差として形成されるため、モルタルを充填する等の工程を廃止し美観性を向上させることができる。
【発明の効果】
【００１６】
本発明によれば、構成を簡略化して汎用性を高めると共に、施工後の美観性を向上させることができる。
【図面の簡単な説明】
【００１７】
【図１】本発明に係るピット蓋受け部材の構成を示す斜視図である。
【図２】ピット蓋受けが形成されたピットの施工方法を示す断面図である。
【図３】ピット蓋受け部材によりピット蓋受けが形成されたピットの断面図である。
【発明を実施するための形態】
【００１８】
以下、図面を参照しつつ、本発明に係るピット蓋受け部材及びピット形成方法の実施形態について説明する。ピット蓋受け部材は、コンクリート打設時の型枠に予め取り付けられ、床面を覆うピット蓋を支持するための段差を形成する部材である。以下の説明では、ピット蓋受け部材の短手の断面を見る方向（図のｘ軸方向）を断面視すると記載する。
【００１９】
図１に示されるように、ピット蓋受け部材１は、床面側に取り付けられる第１角部材２と、第１角部材２から下方に離間して取り付けられた第２角部材１０とを備える。
【００２０】
第１角部材２は、Ｌ断面に形成されたアングル部材である。第１角部材２は、例えば、押し出しにより形成されている。第１角部材２は、逆Ｌ断面となるように配置されている。第１角部材２は、帯状に形成された水平板３と水平板の一端から下方に垂下して帯状に形成された鉛直板４とを備える。
【００２１】
水平板３と鉛直板４との接続部の表側には、略直角の第１角部５が形成されている。第１角部５は、ピット蓋受け部材１がコンクリートに打ち込まれた後、ピット蓋を支持するための段差を形成する枠の一部となる。水平板３と鉛直板４との接続部の裏側には、斜め下方向に突出して複数の鋼棒Ｂが固定されている。鋼棒Ｂは、水平板３と鉛直板４との接続部に溶接やロウ付け等で固定されている。鋼棒Ｂは、例えば、鉄筋が所定の長さに切断されて形成されている。
【００２２】
鋼棒Ｂは、コンクリート内に打ち込まれ、ピット蓋受け部材１がコンクリートから脱落することを防止するアンカーとして機能する。第１角部材２の下方には第２角部材１０が後述の連結部材２０を介して固定されている。
【００２３】
第２角部材１０は、第１角部材２と同様の構成を有するＬ断面に形成されたアングル部材である。第２角部材１０は、逆Ｌ断面となるように配置されている。第２角部材１０は、帯状に形成され水平面を有する水平板１１と水平板１１の一端から下方に垂下して帯状に形成されて鉛直面を有する鉛直板１２とを備える。水平板１１と鉛直板１２との接続部の表側には、略直角の第２角部１３が形成されている。第２角部１３は、ピット蓋受け部材１がコンクリートに打ち込まれた後、ピット蓋を支持するための段差を形成する枠の一部となる。水平板１１と鉛直板１２との接続部の裏側には、斜め下方向に突出して複数の鋼棒Ｂが取り付けられている。第１角部材２と第２角部材１０とは、複数の連結部材２０により連結されている。
【００２４】
連結部材２０は、第１角部材２と第２角部材１０とをピット蓋を支持するための段差を形成するように位置決めして固定するための部材である。連結部材２０は、第１角部材２と第２角部材１０とを所定距離離間させるよう矩形の板状に形成された本体部２１を備える。本体部２１の表面２１ａは、鉛直板４の表面４ａ（鉛直面）と同一面となるように配置される。これにより、ピット蓋受け部材１がコンクリートに打ち込まれてピットが形成された際に本体部２１と第１角部材２の表面４ａとコンクリートで形成された面とが同一面となり、美観性が向上する。
【００２５】
本体部２１の上部には、第１角部材２を配置するための第１固定部２２が設けられている。第１固定部２２は、鉛直板４の裏面４ｂに配置されている。第１固定部２２と鉛直板４とは、スポット溶接やロウ付け等で予め固定されていてもよいし、後述のようにコンクリートの打設時に第１角部材２と共に釘ＧでコンクリートパネルＰに固定されてもよい。第１固定部２２には、本体部２１の表面２１ａと鉛直板４の表面４ａとを同一面に位置決めするための段差部２２ａが形成されている。
【００２６】
本体部２１の下部には、第２角部材１０を固定するための第２固定部２３が設けられている。第２固定部２３は、本体部２１の下部から表面２１ａ側の水平方向に突出して形成されている。第２固定部２３は、本体部２１の下方が折り曲げられて形成されている。第２固定部２３は、水平板１１を支持するように水平板１１の下面１１ｂに配置されている。第２固定部２３と水平板１１とは、スポット溶接やロウ付け等で予め固定されてもよいし、後述のようにコンクリートの打設時に釘ＧでコンクリートパネルＰに固定されてもよい。
【００２７】
連結部材２０により、断面視して第１角部５と第２角部１３とは、鉛直方向に所定距離離間すると共に水平方向に所定距離離間して配置されている。これにより、鉛直板４の表面４ａと水平板１１の上面１１ａとによりピット蓋を支持するための段差Ｓが形成されている。ピット蓋の厚さに応じて本体部２１の鉛直方向の長さを変更することにより、任意の高さ有する段差Ｓを形成することができる。
【００２８】
次に、ピット蓋受け部材１を適用して施工されるピット形成方法について説明する。
【００２９】
図２に示されるように、ピットを形成する位置に型枠用の一対のコンクリートパネルＰ（板状体）が設置される。対向する一対のコンクリートパネルＰの表面側には、ピットと略同一の空間Ｕが形成される。コンクリートパネルＰの上端は、床面Ｅと一致するように配置される。コンクリートパネルＰの裏面側の上部には、ピット蓋受け部材１が取り付けられる。コンクリートパネルＰの裏面側の上部には、段差Ｓの空間を埋めるための矩形断面に形成された棒状のベニヤ板Ｆ（棒状体）がコンクリートパネルＰの上端に沿って固定される。コンクリートパネルＰとベニヤ板Ｆとは、コンクリートパネルＰの表面側から打たれたステンレス製の釘Ｇで固定される。
【００３０】
ベニヤ板Ｆの裏面側には、第１角部５を有する第１角部材２がコンクリートパネルＰにベニヤ板Ｆを介して床面Ｅとなる位置に釘Ｇで固定される。第１角部材２に合わせて連結部材２０がコンクリートパネルＰに釘Ｇで固定される。連結部材２０に合わせて第２角部材１０が第１角部５より所定距離下方に離間すると共に第１角部５に対して水平方向に離間するように第２角部１３をオフセットするように位置決めされる。位置決めされた第２角部材１０がコンクリートパネルＰに釘Ｇで固定される。このとき、第２角部材１０は、ベニヤ板Ｆの下面と当接してコンクリートパネルＰに釘Ｇで固定される。
【００３１】
ピット蓋受け部材１の下方には、コンクリートパネルＰの表面側にサポート用のパイプＨが水平方向に沿って上下に２列並置されて固定部材Ｑを介して固定される。コンクリートパネルＰと、ピット蓋受け部材１とにより形成された領域Rにコンクリートが打設される。コンクリートの打設時にトランシット等の測量機器を用いて空間Ｕが測量され、パイプＨの位置を調整することにより、空間Ｕの通りが修正される。
【００３２】
上記各工程を経てコンクリートが固化した後、コンクリートパネルＰ、ベニヤ板Ｆ、固定部材Ｑ、及びパイプＨが外される。ピット蓋受け部材１から突出した釘は、切断されて断面がグラインダー等を用いて研磨される。
【００３３】
図３に示されるように、ピット蓋受け部材１により、ピット蓋を受ける段差Ｓが形成されたピットＶが形成される。
【００３４】
上述したようにピット蓋受け部材１によれば、構成を簡略化すると共に、汎用性を高めてピット蓋を受ける段差Ｓが形成されたピットＶを形成することができる。また、ピット蓋受け部材１によれば、手間のかかる作業を排し、工程を短縮することができる。また、ピット蓋受け部材１によれば、コンクリート打設時に型枠に取り付けられ、型枠を外した際にそのままピット蓋受け用の段差が形成されるので美観性が向上する。
【００３５】
以上、本発明の一実施形態について説明したが、本発明は上記の一実施形態に限定されるものではなく、その趣旨を逸脱しない範囲で適宜変更可能である。例えば、ピット蓋受け部材１は、ピット蓋受けを形成するだけでなく、段差が必要な他のコンクリート構造物の構築に適用してもよい。
【符号の説明】
【００３６】
１  ピット蓋受け部材
２  第１角部材
３  水平板
４  鉛直板
５  第１角部
１０  第２角部材
１１  水平板
１２  鉛直板
１３  第２角部
２０  連結部材
２１  本体部
２２  第１固定部
２３  第２固定部
Ｂ  鋼棒
Ｅ  床面
Ｆ  ベニヤ板
Ｇ  釘
Ｈ  パイプ
Ｐ  コンクリートパネル
Ｑ  固定部材
Ｒ  領域
Ｓ  段差
Ｕ  空間
Ｖ  ピット
【図１】
2020159138.tif 000003
【図２】
2020159138.tif 000004
【図３】
2020159138.tif 000005